(57)【要約】【課題】作業用足場の位置を簡易な方法により変更することが可能な電柱用作業足場を提供するものである。【解決手段】電柱用作業足場１０は、電柱３０の周方向に沿うようにして穿設された開口部１４を有する移動式足場支持部材１２と、移動式足場支持部材１２の開口部１４の周方向に沿ってスライド自在に移動式足場支持部材１２の開口部１４の端縁部１４ａに支持される足場部１６と、一端部が足場部１６下面に取り付けられると共に他端部が電柱３０の外周面に当接された足場保持脚部１９とを備える。電柱用作業足場１０を電柱３０に自在バンド２４を介して取り付けた状態で足場部１６を所定位置までスライド移動させることができる。【選択図】図１
2009017679.tif 000002
【特許請求の範囲】
【請求項１】
電柱に固定手段を介して取り付けられる電柱用作業足場であって、
前記電柱の周方向に沿うようにして穿設された開口部を有する移動式足場支持部材と、
前記移動式足場支持部材の前記開口部の周方向に沿ってスライド自在に、前記移動式足場支持部材の前記開口部の端縁部に支持される足場部と、
一端部が前記足場部の下面に取り付けられると共に他端部が前記電柱の外周面に当接された、前記足場部を保持する足場保持脚部と
を備えることを特徴とする電柱用作業足場。
【請求項２】
前記足場部の一端部には、前記移動式足場支持部材に穿設された帯状をなす前記開口部を介して前記移動式足場支持部材に設けられた足場係止部材の内周面に係止される係止片が設けられ、
前記足場部は、前記係止片が前記移動式足場支持部材に係止されることで、前記移動式足場支持部材に支持される
ことを特徴とする請求項１に記載の電柱用作業足場。
【請求項３】
前記固定手段は、前記電柱に巻回される固定バンドであり、
前記移動式足場支持部材の両端部のそれぞれに穿設された開口部に前記固定バンドが挿通されることで、前記移動式足場支持部材が前記電柱の所定位置に取り付け固定される
ことを特徴とする請求項１に記載の電柱用作業足場。
【請求項４】
前記係止片を前記移動式足場支持部材の内周面に当接させた状態で、前記足場部が略水平姿勢となるように、
前記足場保持脚部の長手方向の長さおよび前記足場部と前記足場保持脚部とのなす傾斜角度が設定される
ことを特徴とする請求項２に記載の電柱用作業足場。
【請求項５】
前記移動式足場支持部材に穿設された前記開口部の少なくとも一部には、
前記係止片を前記移動式足場支持部材内部に装着するための装着口が設けられる
ことを特徴とする請求項２に記載の電柱用作業足場。
【発明の詳細な説明】
【技術分野】
【０００１】
本願発明は、電柱用作業足場に関する。詳細には、足場部を移動式足場支持部材に対してスライド自在に支持することで、電柱用作業足場を電柱から取り外すことなく簡易かつ迅速に所定位置まで移動させることができる電柱用作業足場に関する。
【背景技術】
【０００２】
電柱で作業を行う場合には、電柱の外周面に予め取り付けられた足場ボルトや補助的に取り付けられた補助ボルトなどを作業者用の足場として使用している。足場ボルトや補助ボルトなどは、電柱の設置当初に適切な位置に取り付け固定される。
【０００３】
ここで、電柱には、電柱の建設当初に設置される高圧線や低圧線などの他に通信ケーブルなどの共架線が後付けで設置される場合がある。この共架線が足場ボルトや補助ボルト付近に設置された場合には、共架線に接触しないように注意しながら足場ボルトなどに足を掛けなければならない。そのため、無理な姿勢で作業を行わなければならなかったり、共架線の設置される場所によっては共架線が障害となり足場ボルトを使用できない場合も生じる。
【０００４】
そこで、共架線が障害とならない位置まで足場ボルトを移動させることが可能な電柱用作業足場が提案されている（特許文献１参照）。この電柱用作業足場１００は、図７に示すように、電柱に取り付けられる足場リング１０２と、この足場リング１０２の側面に溶接により１８０°間隔で取り付けられた２本の足場ボルト１０６とで構成される。足場リング１０２は、２個の分割リング１０２ａ，１０２ｂが蝶番により開閉自在に連結されて構成され、この足場リング１０２の下端縁には電柱の既設現場ボルトを挟み込むための角度調節溝１０４が周方向に等間隔で複数箇所に設けられている。足場ボルト１０６の位置を変更する場合には、既設現場ボルトに挟み込む足場リング１０２の角度調節溝１０４を変更することにより行う。
【０００５】
【特許文献１】実開平６−７７４１３号公報
【発明の開示】
【発明が解決しようとする課題】
【０００６】
しかしながら、上述した特許文献１に開示される電柱用作業足場では、足場ボルトの位置を変更させる場合、既設現場ボルトに挟み込んでいた足場リングを一旦取り外してから、足場リングを所定の角度調節溝位置まで回転させた後、再度、変更した位置の角度調節溝を既設現場ボルトに挟み込まなければならない。そのため、足場ボルトの位置を変更するのに時間や労力を要するという問題がある。特に、足場ボルトは高所に設置されるものもあるため、より簡易な方法により足場ボルトの位置を変更できることが望ましい。
【０００７】
そこで、本願発明は、上記課題に鑑みてなされたものであり、その目的は、作業用足場の位置を簡易な方法により変更することが可能な電柱用作業足場を提供するものである。
【課題を解決するための手段】
【０００８】
本願発明の電柱用作業足場は、上記課題を解決するために、電柱に固定手段を介して取り付けられ、前記電柱の周方向に沿うようにして穿設されたスライド用の開口部を有する移動式足場支持部材と、前記移動式足場支持部材の前記開口部の端縁部により前記移動式足場支持部材の前記開口部の周方向に沿ってスライド自在に支持された足場部と、一端部が前記足場下面に取り付けられると共に他端部が前記電柱の外周面に当接された、前記足場部を支持する足場保持脚部とを備えるものである。
【０００９】
本願発明の電柱用作業足場は、移動式足場支持部材に穿設されたスライド用の開口部の端縁部によって足場部がスライド自在に支持される。そのため、電柱用作業足場を電柱に固定手段を介して取り付けた状態で足場部を所定位置までスライド移動させることができる。従って、共架線等が電柱用作業足場の周辺に設置されて障害となる場合でも、電柱用作業足場の足場部を、共架線等が障害とならない位置までスライドさせることで、共架線等による障害物を容易に回避できる。足場部の移動は足場部をスライドさせるだけであるから極めて簡単な作業で済む。
【発明の効果】
【００１０】
本願発明によれば、電柱用作業足場を電柱に固定手段を介して取り付けた状態で、足場部を所定位置までスライド移動させることができ、電柱用作業足場を電柱から取り外すことなく簡易かつ迅速に足場部を所定位置まで移動させることができる。
【発明を実施するための最良の形態】
【００１１】
以下、本発明の実施形態につき、図面を参照して説明する。  
図１は、本発明の一実施形態に係る電柱用作業足場１０を電柱３０に取り付けたときの構成を示す斜視図である。図２は、電柱用作業足場１０の構成を示す側面図である。図３は、電柱用作業足場１０を固定手段を介して電柱３０に取り付けたときの構成を示す縦断面図である。図４は、電柱用作業足場１０を固定手段を介して電柱３０に取り付けたときの構成を示す横断面図である。
【００１２】
この本発明に適用される電柱用作業足場１０は、主として電柱３０の設置時に予め取り付けられた足場ボルトの補助的な役割を果たすが、一般的には電柱３０に恒久的に取り付けられるものである。
【００１３】
電柱用作業足場１０は、図１に示すように、電柱３０に固定手段の一例である自在バンド（固定バンド）２４と、この自在バンド２４を介して取り付けられるスライド機構を有する移動式足場支持部材１２と、移動式足場支持部材１２にスライド自在に支持される足場部１６と、この足場部１６を保持するための足場保持脚部１９とを備える。
【００１４】
移動式足場支持部材１２は、その全体が電柱３０の断面円状の外周面に沿って円弧状に湾曲された細長の箱形状であって、その長手方向が電柱３０の周方向に沿うようにして電柱３０に取り付けられる。この移動式足場支持部材１２の周方向の長さは電柱３０の周長の略１／４〜１／３の長さに選定される。また、移動式足場支持部材１２は、例えば鋼や鉄などの金属材料（硬材）で構成される。移動式足場支持部材１２の表面には、移動式足場支持部材１２の長手方向に延びる細長の平面視長方形状をなす帯状の開口部１４が穿設される。この開口部１４は、足場部１６を電柱３０の周方向にスライド移動させるための案内部（案内溝）として機能する。開口部１４の幅Ｗ１は、後述する足場部１６の厚み方向の長さより若干長く選定され、かつ後述する係止片５０の高さ方向の長さよりも短く選定され、足場部１６が移動式足場支持部材１２から外れないような構成とされる。開口部１４の左端部には、後述する足場部１６の係止片５０をこの開口部１４に装着するための装着口１５が穿設される。この装着口１５は、係止片５０の外形（輪郭形状）よりも僅かに大きな開口を有する。
【００１５】
足場部１６は、細長の平板状をなして例えば鋼や鉄などの金属材料で構成され、その表面にはさび等の腐食から保護するための溶融亜鉛めっき処理が施されている。この足場部１６は、主として作業者の足の土踏まず部分を乗せて踏み台として使用されるものであり、足場部１６の長手方向の長さは例えば作業者の足の幅が収容される程度に選定される。また、作業中や足を掛けたときに足が滑らないように、足場部１６上面にはゴムや切り欠き溝などで滑り止め加工が施される。足場部１６は、開口部１４の下端縁部１４ａによってスライド自在に電柱３０の周方向に沿って支持される。
【００１６】
足場部１６の基端部には、図３に示すように、この基端部から下方にＬ字状に屈曲された平板状をなす係止片５０が設けられる。係止片５０は、足場部１６と一体に形成されていても良いし、別部材で溶接により足場部１６に強固に取り付けても良い。係止片５０は移動式足場支持部材１２の表面形状に沿った湾曲形状とされ、その外周面は開口部１４を介して移動式足場支持部材１２の一部を構成する足場係止部材１２ａの内周面に当接される。これにより、係止片５０に接続された足場部１６が係止片５０により移動式足場支持部材１２に引っ掛かった状態で支持される。
【００１７】
足場保持脚部１９は、図１〜図３に示すように、足場部１６を水平姿勢で保持するものであり、脚部２０と当接部２２とで構成される。脚部２０は、細長の平板形状であって、鋼や鉄などの金属材料で構成される。脚部２０の一端部は足場部１６の先端部下面に溶接により強固に取り付けられ、その他端部は当接部２２表面に溶接により強固に取り付けられる。このとき、足場部１６が略水平姿勢となるように、脚部２０は、所定の長さＬに選定されると共に、所定の傾き角度θ（例えば４５°）をもって当接部２２に取り付けられる（図３参照）。
【００１８】
当接部２２は、電柱３０の外周面に沿うように湾曲された平板形状であって鋼や鉄などの金属材料で構成され、その内周面が電柱３０の外周面にスライド可能に当接される。当接部２２には足場部１６から脚部２０を介して作業者の荷重や足場部１６の自重などの負荷が伝達され、これらの負荷を電柱３０を介して支持する。
【００１９】
自在バンド２４は、図１、図２および図４に示すように、鋼材などの金属材料で構成された帯状をなすバンド本体２５を有する。バンド本体２５の一端部は、図４に示すように、貫通孔５４を有する補強管２８の軸心周りにバンド本体２５（一端側）が巻き付けられて、この補強管２８の貫通孔５４にフックボルト２７が挿通され、フックボルト２７の貫通孔５４から延出した後端部に段付ナット２６が羅合されることで構成される。バンド本体２５には、その長手方向に沿ってフックボルト２７の爪を引っ掛けるための開口孔４２が等間隔に複数穿設される。ここで、移動式足場支持部材１２の両側面部には、図２に示すように、自在バンド２４を挿通させるための挿通孔５２が穿設されており、この挿通孔５２に自在バンド２４を挿通させることで、移動式足場支持部材１２が電柱３０の所定位置に取り付け、固定される。このとき、図３に示すように、移動式足場支持部材１２の外側の側壁部内周面と自在バンド２４外周面との間にはパッキン部材４６が介挿され、自在バンド２４が所定位置で固定される。
【００２０】
次に、本発明の電柱用作業足場１０を電柱３０に取り付ける際の手順の一例について図２〜図４を参照して説明する。  
まず、図４に示すように、自在バンド２４のフックボルト２７が設けられていない他端部を移動式足場支持部材１２の一方の挿通孔５２に挿入して移動式足場支持部材１２内部を通過させ、移動式足場支持部材１２の他方の挿通孔５２からバンドの他端部を引き出す。次に、図３に示すように、移動式足場支持部材１２の外側の側壁部内周面と自在バンド２４外周面との間に移動式足場支持部材１２の内側の側壁部に形成された挿入孔４８からパッキン部材４６を挿入して、自在バンド２４を移動式足場支持部材１２に固定する。次に、図４に示すように、自在バンド２４を電柱３０の所定位置で巻回し、自在バンド２４の一端部のフックボルト２７の爪を、自在バンド２４の所定位置の開口孔４２（図１、図２参照）に引っ掛ける。そして、さらに段付ナット２６を締付けることで、緩みなく自在バンド２４を電柱３０に巻き付ける。最後に、移動式足場支持部材１２の装着口１５に足場部１６の係止片５０を挿入してスライド用の開口部１４に移動させて、足場部１６を移動式足場支持部材１２に取り付ける。
【００２１】
次に、上述した電柱３０に取り付けた電柱用作業足場１０の使用例について説明する。図５は、電柱用作業足場１０が取り付けられた電柱３０の構成を示す図である。図６は、電柱用作業足場１０の使用例を示す断面図である。
【００２２】
図５に示すように、電柱３０の上部には約６０００Ｖの高圧電流が流れる高圧線３２が設置され、その下方には２００Ｖおよび１００Ｖの低圧電流が流れる低圧線３４が設置される。そして、低圧線３４の下方には高圧を低圧に変換するための変圧器３６などが施設され、その下方にはＰＣ操作用足場６０（チッケ取り替え用足場）が設けられる。本実施の形態における電柱用作業足場１０は、このＰＣ操作用足場６０の位置に自在バンド２４を介して取り付けられる。ＰＣ操作用足場６０は例えば地上から約６ｍの高さである。電柱用作業足場１０の下方には、共架線３８（例えば通信ケーブル）が設置されるスペースが設けられる。この共架線３８は、共架スペースに空きがない場合には、電柱用作業足場１０の上方に設置される場合もある。
【００２３】
例えば、図６（Ａ）に示すように、共架線３８が電柱用作業足場１０の直上に設置された場合には、図６（Ｂ）に示すように、電柱用作業足場１０の足場部１６を共架線３８が障害とならない位置までスライド移動（矢印方向）させることで、作業者の足場を確保することができる。
【００２４】
以上説明したように、本実施の形態によれば、電柱用作業足場１０の移動式足場支持部材１２を電柱３０に自在バンド２４を介して取り付けた状態で、足場部１６を所定位置までスライド移動させることができる。これにより、電柱用作業足場１０を電柱３０から取り外すことなく、共架線等の障害物が影響されない位置まで、簡易かつ迅速に足場部を移動させることができる。また、スライドよる連続した移動が可能となるため、細かい位置の調節を行うこともできる。
【００２５】
さらに、足場部１６は、水平姿勢で脚部２０および当接部２２により支持されるため、電柱３０に対して引っ張り方向の力が作用したとしても、足場部１６の係止片５０が移動式足場支持部材１２の足場係止部材１２ａの内周面に引っ掛かるため、移動式足場支持部材１２のスライド用の開口部１４から足場部１６が外れることはない。
【００２６】
なお、本発明の技術範囲は、上述した実施形態に限定されるものではなく、本発明の趣旨を逸脱しない範囲において、上述した実施形態に種々の変更を加えたものを含む。
【００２７】
例えば、上述した実施の形態では、１個の足場部１６を移動式足場支持部材１２に取り付けていたが、複数個の足場部１６を移動式足場支持部材１２にスライド自在に取り付けても良い。また、自在バンド２４には、１個の移動式足場支持部材１２を締付けていたが、複数個の移動式足場支持部材１２を締付けても良い。これに応じてそれぞれの移動式足場支持部材１２に足場部１６をスライド自在に取り付けることで、作業位置に合わせた複数の足場部１６を自在に確保することができる。
【産業上の利用可能性】
【００２８】
本発明は、電柱で作業を行う場合に、移動可能な作業用の足場として好適に利用できる。
【図面の簡単な説明】
【００２９】
【図１】本発明の一実施形態に係る電柱用作業足場の構成を示す斜視図である。
【図２】電柱用作業足場の構成を示す側面図である。
【図３】電柱用作業足場の構成を示す縦断面図である。
【図４】電柱用作業足場の構成を示す横断面図である。
【図５】電柱用作業足場が取り付けられた電柱の構成を示す図である。
【図６】電柱用作業足場の動作例を示す断面図である。
【図７】従来の電柱用作業足場の構成を示す斜視図である。
【符号の説明】
【００３０】
１０…電柱用作業足場、  １２…移動式足場支持部材、  １２ａ…足場係止部材、  １４…開口部、  １５…装着口、  １６…足場部、  １９…足場保持脚部、  ２０…脚部、  ２２…当接部、  ２４…自在バンド、  ３０…電柱、  ３８…共架線、  ４２…開口孔、  ５０…係止片、  ６０…ＰＣ操作用足場、  １００…電柱用作業足場
【図１】
2009017679.tif 000003
【図２】
2009017679.tif 000004
【図３】
2009017679.tif 000005
【図４】
2009017679.tif 000006
【図５】
2009017679.tif 000007
【図６】
2009017679.tif 000008
【図７】
2009017679.tif 000009